(57)【要約】【課題】本願は、注文された飲食物を厨房から客席へ搬送するベルトコンベアにおいて、当該ベルトコンベアの始端または終端に設けるテンション調整用のローラの可動範囲を拡大しなくても、ベルトのテンションを調整する調整機構が調整可能なベルトの伸長量の範囲を拡大可能な技術を提供することを課題とする。【解決手段】注文飲食物搬送装置であって、飲食店の厨房側から客席フロア側へ至る搬送路を形成し、搬送路沿いに複数の客席が配置されるベルトコンベアと、ベルトコンベアの始端または終端に位置する第１ローラと、第１ローラをベルトコンベアの搬送方向に沿って位置調整可能な第１調整機構と、搬送路の下側に設けられており、終端から始端へ向かうベルトを支持する第２ローラと、第２ローラを、当該第２ローラがベルトを支持する方向に沿って位置調整可能な第２調整機構と、を備える。【選択図】図３
2020151342.tif 000002
【特許請求の範囲】
【請求項１】
飲食店の厨房側から客席フロア側へ至る搬送路を形成し、前記搬送路沿いに複数の客席が配置されるベルトコンベアと、
前記ベルトコンベアの始端または終端に位置する第１ローラと、
前記第１ローラを前記ベルトコンベアの搬送方向に沿って位置調整可能な第１調整機構と、
前記搬送路の下側に設けられており、前記終端から前記始端へ向かうベルトを支持する第２ローラと、
前記第２ローラを、当該第２ローラが前記ベルトを支持する方向に沿って位置調整可能な第２調整機構と、を備える、
注文飲食物搬送装置。
【請求項２】
前記搬送路の下側において前記第２ローラの前後に配置される一対のローラであり、前記ベルトの表面と裏面のうち前記第２ローラが支持している面の反対側の面から前記ベルトを支持する第３ローラ及び第４ローラを更に備える、
請求項１に記載の注文飲食物搬送装置。
【請求項３】
前記第１調整機構は、前記第１ローラを所定距離の範囲内で前後に無段階で位置調整可能な調整機構であり、
前記第２調整機構は、前記所定距離以下の距離を空けて設定された２箇所の調整位置のうちの何れかに前記第２ローラを固定可能な２段式の調整機構である、
請求項１または２に記載の注文飲食物搬送装置。
【発明の詳細な説明】
【技術分野】
【０００１】
本発明は、注文飲食物搬送装置に関する。
【背景技術】
【０００２】
近年、飲食店においては、搬送装置を使った飲食物の提供が行なわれている（例えば、特許文献１−２を参照）。
【先行技術文献】
【特許文献】
【０００３】
【特許文献１】特開２００５−１８５３２６号公報
【特許文献２】特開２０１７−１４０２９７号公報
【発明の概要】
【発明が解決しようとする課題】
【０００４】
注文された飲食物を搬送する場合、例えば、厨房から客席へ至るベルトコンベアに飲食物を載せて搬送することが考えられる。ベルトコンベアであれば、ベルト幅に自由度があり、比較的大きい搬送物や重量物の運搬が可能である。注文された飲食物をベルトコンベアで厨房から客席へ速やかに搬送するには、飲食物が載るベルトの加減速を速やかに行うことが好ましい。よって、注文された飲食物を搬送するベルトコンベアのベルトには、加減速が容易な軽量なものが用いられる。
【０００５】
ベルトコンベアのベルトには、ベルトの弛みを防ぐためにテンション（張力）が加えられる。よって、ベルトコンベアのベルトには、通常、長手方向の伸長を抑制する芯線或いはその他の素材が埋め込まれているが、加減速を容易にするために採用される軽量なベルトでは長手方向の伸長を十分に抑制することが難しい。そこで、ベルトコンベアには、テンションを調整するための調整機構が設けられる。ベルトのテンションを調整する調整機構としては、スプリング等の伸縮力を用いてテンションを自動調整する方式のものや、ローラの位置変更によりテンションを手動調整する方式のものがある。
【０００６】
ところで、注文された飲食物を厨房から客席へ搬送するベルトコンベアの周囲には、客席やテーブルが取り付けられる。よって、ベルトのテンションを調整する調整機構が手動調整の機構の場合、ベルトの送り方向が不安定にならないようにローラの取付角度に注意しながらベルトのテンションを調整するには、調整機構のローラが、ベルトコンベアの周囲に取り付けられている客席やテーブルが障害とならない箇所、すなわち、当該ベルトコンベアの始端または終端に配置されていることが好ましい。しかし、ベルトコンベアの始端または終端には、ベルトコンベアに併設されるその他の搬送装置や昇降装置類が設けられることもあるため、調整機構のローラの可動範囲が十分に確保できないことがある。調整機構のローラの可動範囲が小さいと、ベルトの伸長量が大きい場合に、適切なテンションを付与することができない。
【０００７】
そこで、本願は、注文された飲食物を厨房から客席へ搬送するベルトコンベアにおいて、当該ベルトコンベアの始端または終端に設けるテンション調整用のローラの可動範囲を拡大しなくても、ベルトのテンションを調整する調整機構が調整可能なベルトの伸長量の範囲を拡大可能な技術を提供することを課題とする。
【課題を解決するための手段】
【０００８】
上記課題を解決するため、本発明は、ベルトコンベアの始端または終端に位置する第１
ローラを位置調整可能な第１調整機構の他に、終端から始端へ向かうベルトを支持する第２ローラを位置調整可能な第２調整機構を設けることにした。
【０００９】
詳細には、本発明は、注文飲食物搬送装置であって、飲食店の厨房側から客席フロア側へ至る搬送路を形成し、搬送路沿いに複数の客席が配置されるベルトコンベアと、ベルトコンベアの始端または終端に位置する第１ローラと、第１ローラをベルトコンベアの搬送方向に沿って位置調整可能な第１調整機構と、搬送路の下側に設けられており、終端から始端へ向かうベルトを支持する第２ローラと、第２ローラを、当該第２ローラがベルトを支持する方向に沿って位置調整可能な第２調整機構と、を備える。
【００１０】
上記の注文飲食物搬送装置であれば、ベルトのテンションを調整するための第１調整機構がベルトコンベアの始端または終端に設けられているので、テンションを調整する作業者は、ベルトコンベアの周囲に設置されているものを障害と感じることなく、ベルトコンベアの始端または終端でローラの取付角度に注意しながらベルトのテンションを調整することができる。また、第１調整機構におけるテンションの調整代が無くなった場合には、第２調整機構でローラの位置を変更することにより、第１調整機構の調整代を回復することができる。したがって、上記の注文飲食物搬送装置であれば、ベルトのテンションを調整する第１調整機構のローラの可動範囲を大きくできない場合であっても、伸長量の大きいベルトに適切なテンションを付与することが可能である。
【００１１】
なお、上記の注文飲食物搬送装置は、搬送路の下側において第２ローラの前後に配置される一対のローラであり、ベルトの表面と裏面のうち第２ローラが支持している面の反対側の面からベルトを支持する第３ローラ及び第４ローラを更に備えるものであってもよい。また、第１調整機構は、第１ローラを所定距離の範囲内で前後に無段階で位置調整可能な調整機構であり、第２調整機構は、所定距離以下の距離を空けて設定された２箇所の調整位置のうちの何れかに第２ローラを固定可能な２段式の調整機構であってもよい。このような注文飲食物搬送装置であれば、第１調整機構の調整代が無くなった場合に第２調整機構で行う第２ローラの位置変更が容易である。
【発明の効果】
【００１２】
上記注文飲食物搬送装置であれば、注文された飲食物を厨房から客席へ搬送するベルトコンベアにおいて、当該ベルトコンベアの始端または終端に設けるテンション調整用のローラの可動範囲を拡大しなくても、ベルトのテンションを調整する調整機構が調整可能なベルトの伸長量の範囲を拡大可能である。
【図面の簡単な説明】
【００１３】
【図１】図１は、実施形態に係る注文飲食物搬送装置の全体構成図である。
【図２】図２は、主ベルトコンベアの概略構成を示した図である。
【図３】図３は、主ベルトコンベアの要部を拡大した図である。
【図４】図４は、主ベルトコンベアのテンションを調整する方法の一例を示した図である。
【発明を実施するための形態】
【００１４】
以下、本願発明の実施形態について説明する。以下に示す実施形態は、本願発明の一態様であり、本願発明の技術的範囲を限定するものではない。以下に示す各実施形態や変形例は、例えば、寿司や飲料物、そばやうどんといった丼物、から揚げや天ぷらといった各種の飲食物を、店内で飲食する客の他、飲食物を持ち帰る客へも提供する飲食店に好適である。
【００１５】
図１は、実施形態に係る注文飲食物搬送装置１０の全体構成図である。注文飲食物搬送
装置１０は、客の注文を受けて用意された飲食物を飲食店の厨房２から客席３等へ搬送する装置であり、図１に示すように、客が飲食する各客席３の脇を通る搬送路を形成する。注文飲食物搬送装置１０は、飲食店の厨房２側から客席エリアへ至る搬送路を形成する主ベルトコンベア２０と、主ベルトコンベア２０の厨房２側に延設され、搬送路を延伸する副ベルトコンベア３０とを備えている。注文飲食物搬送装置１０は、飲食物を皿等の各種食器に載せて搬送したり、食器を使わずにベルトコンベアに直置きされたフィルム包装等の飲食物を搬送したり、或いは、トレイに載せられた状態の飲食物を搬送したりする。
【００１６】
副ベルトコンベア３０は、飲食物の皿を長手方向沿いに４枚並べて置くことが可能な長さを有している。また、副ベルトコンベア３０の付近には、店員が各種の操作を受け付けるための操作パネルが設けられている。
【００１７】
なお、注文飲食物搬送装置１０の上側や下側には、飲食物が循環搬送される飲食物循環搬送装置やその他の注文飲食物搬送装置が設けられていてもよい。また、注文飲食物搬送装置１０の上側や下側には、湯呑みや調味料、お品書き等を載せる棚板が支柱等によって支持されていてもよい。
【００１８】
図２は、主ベルトコンベア２０の概略構成を示した図である。主ベルトコンベア２０は、図２に示されるように、無端状のベルト２１、主ベルトコンベア２０の始端に位置するローラ２２、主ベルトコンベア２０の終端に位置するローラ２３（本願でいう「第１ローラ」の一例である）、主ベルトコンベア２０の搬送路の下側に設けられており、主ベルトコンベア２０の終端から始端へ向かうベルト２１を支持するローラ２４，２５，２６（順に、本願でいう「第２ローラ」と「第３ローラ」と「第４ローラ」の一例である）を備える。ローラ２３は、主ベルトコンベア２０の搬送方向に沿って位置調整可能となっている。また、ローラ２４は、ローラ２４がベルト２１を支持する方向へ位置調整可能となっている。ローラ２５とローラ２６は、ローラ２４の前後に配置される一対のローラであり、ベルト２１の表面と裏面のうちローラ２３が支持している表面（搬送面）の反対側の裏面からベルト２１を支持する。ローラがベルトを支持する方向とは、ローラの回転軸から当該ローラの外周面のうち当該ベルトが接している部分へ向かう方向であり、例えば、図２に示されるローラ２４の場合であれば、ローラ２４の中心軸から真下へ向かう方向のみならず、斜め右下や斜め左下へ向かう方向が含まれる。
【００１９】
図３は、主ベルトコンベア２０の要部を拡大した図である。主ベルトコンベア２０には、図３に示されるように、ローラ２３の位置を調整する第１調整機構２Ａと、ローラ２４の位置を調整する第２調整機構２Ｂが備わっている。第１調整機構２Ａは、ローラ２３を主ベルトコンベア２０の搬送方向に沿って位置調整することができる。また、第２調整機構２Ｂは、ローラ２４をローラ２４がベルト２１を支持する方向に沿って位置調整することができる。
【００２０】
第１調整機構２Ａは、ローラ２３の回転軸を支える軸受が固定されたローラ支持部材２Ａ１と、構造材４０に固定される調整ボルト支持部材２Ａ２と、ローラ支持部材２Ａ１の位置を微調整するための調整ボルト２Ａ３と、調整ボルト２Ａ３に螺合される調整ナット２Ａ４とを備える。そして、調整ボルト支持部材２Ａ２のネジ孔に挿通された調整ボルト２Ａ３を回すと、調整ボルト２Ａ３に螺合されている調整ナット２Ａ４が調整ボルト２Ａ３の長手方向に沿って移動することにより、調整ナット２Ａ４に接しているローラ支持部材２Ａ１が移動する。
【００２１】
第２調整機構２Ｂは、ローラ２４の回転軸を支える軸受が固定されたローラ支持部材２Ｂ１と、ローラ支持部材２Ｂ１を構造材４１に固定する固定ボルト２Ｂ２とを備える。そして、固定ボルト２Ｂ２は、構造材４１に設けられた細長いスライド孔２Ｂ３に挿通され
ているため、ローラ支持部材２Ｂ１をスライド孔２Ｂ３の上端側と下端側の何れの箇所においてもローラ支持部材２Ｂ１を構造材４１に固定することができる。そして、スライド孔２Ｂ３の長手方向における長さＢは、調整ボルト２Ａ３の長さＡ（本願でいう「所定距離」の一例である）より短い。よって、注文飲食物搬送装置１０では、使用によってベルト２１が伸長した場合に、以下のようにしてベルト２１の弛みを無くし、ベルト２１に適切なテンションを加えることができる。
【００２２】
図４は、主ベルトコンベア２０のテンションを調整する方法の一例を示した図である。例えば、新品のベルト２１が取り付けられている場合、図４（Ａ）に示されているように、ローラ支持部材２Ｂ１をスライド孔２Ｂ３の上端側に配置した状態で構造材４１に固定する。そして、図４（Ｂ）に示されているように、調整ボルト２Ａ３を回してローラ２３の位置を微調整し、ベルト２１のテンションを調整する。
【００２３】
そして、注文飲食物搬送装置１０の定期的なメンテナンスにおいて第１調整機構２Ａによるベルト２１のテンション調整が繰り返され、ローラ支持部材２Ａ１が調整ボルト支持部材２Ａ２に近づいて調整代が無くなると、図４（Ｃ）に示されるように、ローラ２４の位置変更が行われる。すなわち、調整ボルト２Ａ３をベルト２１のテンションが緩む方向に回してローラ支持部材２Ａ１を調整ボルト支持部材２Ａ２から遠ざけた後、固定ボルト２Ｂ２を一旦緩めてローラ支持部材２Ｂ１をスライド孔２Ｂ３の下端側にした状態で構造材４１に固定し直す。その後、調整ボルト２Ａ３を回してローラ２３の位置を微調整し、ベルト２１のテンションを調整する。
【００２４】
上記実施形態の注文飲食物搬送装置１０であれば、ベルト２１のテンションを調整するための第１調整機構２Ａが主ベルトコンベア２０の終端に設けられている。よって、上記実施形態の注文飲食物搬送装置１０のように、主ベルトコンベア２０の周囲に客席３が取り付けられていても、ベルト２１のテンションを調整する作業者は、客席３を障害と感じることなく、主ベルトコンベア２０の終端でローラ２３の取付角度に注意しながらベルト２１のテンションを調整することができる。また、第１調整機構２Ａにおけるテンションの調整代が無くなった場合には、第２調整機構２Ｂでローラ２４の位置変更を行うことにより、第１調整機構２Ａの調整代を回復することができる。したがって、例えば、第１調整機構２Ａの付近に他の搬送装置や昇降装置類が設けられていることにより、ベルト２１のテンションの調整代を主ベルトコンベア２０の終端で十分に確保できない機器構成であったとしても、経年劣化によるベルト２１の伸長に比較的十分に対応することができる。すなわち、上記実施形態の注文飲食物搬送装置１０であれば、ベルト２１のテンションを調整する第１調整機構２Ａのローラ２３の可動範囲を大きくできない場合であっても、伸長量の大きいベルト２１に適切なテンションを付与することが可能である。
【００２５】
なお、上記実施形態の注文飲食物搬送装置１０では、ベルト２１の終端側に第１調整機構２Ａと第２調整機構２Ｂが設けられていたが、第１調整機構２Ａと第２調整機構２Ｂは、ベルト２１の始端側に設けられていてもよい。また、第２調整機構２Ｂは、スライド孔２Ｂ３の上端側と下端側の２箇所の調整位置でローラ支持部材２Ｂ１を固定する２段式の調整機構として説明したが、３箇所以上の調整位置でローラ支持部材２Ｂ１を固定する多段式の調整機構であってもよいし、スライド孔２Ｂ３の上端から下端までの間の途中でローラ支持部材２Ｂ１を無段階で固定する無段式の調整機構であってもよい。また、第２調整機構２Ｂは、ローラ支持部材２Ｂ１を上下に動かしてローラ２４の位置を調整する形態に限定されるものでなく、例えば、ローラ支持部材２Ｂ１を斜め或いは横に動かしてローラ２４の位置を調整する形態であってもよい。また、第２調整機構２Ｂは、ローラ２４がベルト２１を駆動する駆動ローラであり、ローラ２４に動力を与えるモータがローラ支持部材２Ｂ１に一体で設けられていてもよい。また、第１調整機構２Ａや第２調整機構２Ｂは、主ベルトコンベア２０以外のベルトコンベアに設けられていてもよい。また、ローラ
２５，２６が省略されており、搬送路の下側ではローラ２４のみがベルト２１を支持する形態であってもよい。また、上記実施形態の注文飲食物搬送装置１０では、ローラ２３及びローラ２４の位置変更によりベルト２１のテンションを調整していたが、ローラ２３及びローラ２４に加えて、或いは、ローラ２３及びローラ２４に代えて、ローラ２５，２６の位置変更によりベルト２１のテンションを調整するようにしてもよい。
【００２６】
また、注文飲食物搬送装置１０は、図１に示したように、主ベルトコンベア２０と副ベルトコンベア３０を２つずつ備える形態に限定されるものでなく、例えば、主ベルトコンベア２０と副ベルトコンベア３０を１つずつ備える形態であってもよいし、副ベルトコンベア３０が省略されていて主ベルトコンベア２０のみを備える形態であってもよい。すなわち、注文飲食物搬送装置１０は、ベルトコンベアに第１調整機構２Ａと第２調整機構２Ｂが備わっているものであれば、如何なる形態であってもよい。
【符号の説明】
【００２７】
２・・厨房：３・・客席：１０・・注文飲食物搬送装置：２０・・主ベルトコンベア：２１・・ベルト：２２，２３，２４，２５，２６・・ローラ：２Ａ・・第１調整機構：２Ａ１・・ローラ支持部材：２Ａ２・・調整ボルト支持部材：２Ａ３・・調整ボルト：２Ａ４・・調整ナット：２Ｂ・・第２調整機構：２Ｂ１・・ローラ支持部材：２Ｂ２・・固定ボルト：２Ｂ３・・スライド孔：３０・・副ベルトコンベア：４０，４１・・構造材
【図１】
2020151342.tif 000003
【図２】
2020151342.tif 000004
【図３】
2020151342.tif 000005
【図４】
2020151342.tif 000006